(57)【要約】【課題】部品点数および組立て工数が削減されて製造コストが安くなり、しかも、回転操作軸の周囲の防水性能の検査が容易な回転操作軸の防水構造を提供する。【解決手段】操作パネル１内部に配置された回転電子部品２の回転操作軸２ａを前記回転電子部品２を覆うフレーム３の穴から突出させ前記回転操作軸２ａに前記操作パネル１の外部に配置される回転操作つまみ８を嵌着させる回転操作軸の防水構造において、前記回転操作軸２ａを挿通させる穴を有するゴム弾性部材７を前記フレーム３に固定し、前記ゴム弾性部材６の穴の内周面に環形状リブを前記穴中心方向に突出形成し、前記環形状リブの先端に環形状リブより肉厚の薄い環形状ひれを設け、前記環形状ひれが弾性変形して前記回転操作軸２ａに圧接するように構成した。【選択図】図２
2010108801.tif 000002
【特許請求の範囲】
【請求項１】
操作パネル内部に配置された回転電子部品の回転操作軸を前記回転電子部品を覆うフレームの穴から突出させ前記回転操作軸に前記操作パネルの外部に配置される回転操作つまみを嵌着させる回転操作軸の防水構造において、前記回転操作軸を挿通させる穴を有するゴム弾性部材を前記フレームに固定し、前記ゴム弾性部材の穴の内周面に環形状リブを前記穴中心方向に突出形成し、前記環形状リブの先端に環形状リブより肉厚の薄い環形状ひれを設け、前記環形状ひれが弾性変形して前記回転操作軸に圧接するように構成した回転操作軸の防水構造。
【請求項２】
前記ゴム弾性部材は前記フレームに締着されるホルダに嵌着されている請求項１の回転操作軸の防水構造。
【請求項３】
前記環形状リブにおける前記回転操作軸先端方向の上面は前記環形状ひれの上面と同一平面に形成されている請求項１または２の回転操作軸の防水構造。
【請求項４】
前記環形状ひれが複数個形成されている請求項１または２の回転操作軸の防水構造。
【発明の詳細な説明】
【技術分野】
【０００１】
この発明は電子機器に係わり、特に、その回転操作軸の防水構造に関する。
【背景技術】
【０００２】
従来の電子機器の回転操作軸の防水構造の例を図７および図８により説明する。図７は従来の回転操作軸の防水構造の例を示す部分平面図である。図８は図７におけるＡ−Ａ断面図である。
【０００３】
図に示す回転式エンコーダ２はシャーシ５に固定されたプリント基板４に実装されている。プリント基板４はフレーム３に覆われており、回転式エンコーダ２の回転操作軸２ａはフレーム３の穴から突出している。
【０００４】
フレーム３の上部を覆う操作パネル１はフレーム３に締着されており、フレーム３と共にゴム弾性操作部材１０の周辺部を挾持している。そして、ゴム弾性操作部材１０の周辺部は水密状態となっている。
【０００５】
操作パネル１は回転式エンコーダ２の回転操作軸２ａを挿通させる穴とその周囲に形成された４個の円弧形状の押釦挿通穴１ａを有している。上記ゴム弾性操作部材１０は４個の円弧形状の押釦１０ａを有しており、この押釦１０ａは操作パネル１の上記押釦挿通穴１ａから突出している。押釦１０ａを押すことによりプリント基板４に実装されたスイッチを作動させることができる。
【０００６】
操作パネル１の穴から突出した回転操作軸２ａには２色成形された回転操作つまみ２３の筒形状部２３ａが嵌合しており、回転操作つまみ２３により回転操作軸２ａを回転させることができる。なお、筒形状部２３ａの内面には縦方向のリブが複数個形成されており、筒形状部２３ａを回転操作軸２ａに強嵌合させることが可能となっている。
【０００７】
フレーム３には回転操作軸２ａを挿通させる穴を夫々有する上側ホルダ２１と下側ホルダ２２とが重なるように締着されている。そして、上側ホルダ２１の段差部に配置されたＯリング２０が回転操作軸２ａに圧接されて回転操作軸２ａ周囲の防水性能が保たれる。
【０００８】
上記した従来の回転操作軸の防水構造では、回転操作軸２ａ周囲の防水性能を得るために、上側ホルダ２１、下側ホルダ２２およびＯリング２０の３個の部品を必要とするために部品点数および組立て工数が増大して製造コストが高くなるという問題があった。
【０００９】
また、Ｏリング２０は上側ホルダ２１の下の隠れた位置に配置されるために回転操作つまみ２３を回転操作軸２ａから外しただけではＯリング２０を見ることができず、防水性能の確認が困難であるという問題があった。
【００１０】
図９および図１０により従来の回転操作軸の防水構造の他の例を説明する。図９は従来の回転操作軸の防水構造の他の例を示す部分平面図、図１０は図９におけるＡ−Ａ断面図である。
【００１１】
図に示す２色成形された回転操作つまみ３０の内側にはゴム弾性スカート形状部材３０ｂが固着されている。そして、フレーム３には押さえ板３１が締着されている。操作パネル１の穴から突出した回転式エンコーダ２の回転操作軸２ａには回転操作つまみ３０の筒形状部３０ａが嵌合しており、回転操作つまみ２３により回転操作軸２ａを回転させることができる。
【００１２】
なお、筒形状部３０ａの内面には縦方向のリブが複数個形成されており、筒形状部３０ａを回転操作軸２ａに強嵌合させることが可能となっている。他の構成は図７および図８で説明した従来の回転操作軸の防水構造と同じであり、同一の部材に同一の符号を付して詳細な説明を省略する。
【００１３】
この例では、押さえ板３１に圧接されたゴム弾性スカート形状部材３０ｂにより回転操作軸２ａ周囲の防水性能が保たれる。しかしながら、回転操作つまみ３０を回転操作軸２ａから外すと、防水性能の確認ができず、防水性能の確認が困難であるという問題があった。
【００１４】
特開２００８−４７４２１号公報に開示された回転操作軸の防水構造では、ビス７７で締着された上下の保持リング７１、７５で挾持されるＯリング７４により回転操作軸４５の周囲の防水性能が得られる。
【００１５】
上記特開２００８−４７４２１号公報に開示された回転操作軸の防水構造では、上記図７および図８で説明した従来の回転操作軸の防水構造と同様に部品点数および組立て工数が増大して製造コストが高くなるという問題があった。
【００１６】
また、Ｏリング７４は上側保持リング７１の下の隠れた位置に配置されるために操作ノブ６６を回転操作軸４５から外しただけではＯリング７４を見ることができず、防水性能の確認が困難であるという問題があった。
【特許文献１】特開２００８−４７４２１号公報、段落００３４〜段落００３６、図２５
【発明の開示】
【発明が解決しようとする課題】
【００１７】
この発明は上記した点に鑑みてなされたものであって、その目的とするところは、部品点数および組立て工数が削減されて製造コストが安くなり、しかも、回転操作軸の周囲の防水性能の検査が容易な回転操作軸の防水構造を提供することにある。
【課題を解決するための手段】
【００１８】
この発明の回転操作軸の防水構造は、操作パネル内部に配置された回転電子部品の回転操作軸を前記回転電子部品を覆うフレームの穴から突出させ前記回転操作軸に前記操作パネルの外部に配置される回転操作つまみを嵌着させる回転操作軸の防水構造において、前記回転操作軸を挿通させる穴を有するゴム弾性部材を前記フレームに固定し、前記ゴム弾性部材の穴の内周面に環形状リブを前記穴中心方向に突出形成し、前記環形状リブの先端に環形状リブより肉厚の薄い環形状ひれを設け、前記環形状ひれが弾性変形して前記回転操作軸に圧接するように構成したものである。
【００１９】
また、前記回転操作軸の防水構造において、前記ゴム弾性部材が前記フレームに締着されるホルダに嵌着されているものである。
【００２０】
また、前記各回転操作軸の防水構造において、前記環形状リブにおける前記回転操作軸先端方向の上面が前記環形状ひれの上面と同一平面に形成されているものである。
【００２１】
また、同各回転操作軸の防水構造において、前記環形状ひれが複数個形成されているものである。
【発明の効果】
【００２２】
この発明の回転操作軸の防水構造によれば、部品点数および組立て工数が削減されて製造コストが安くなり、しかも、回転操作軸の周囲の防水性能の検査が容易である。
【発明を実施するための最良の形態】
【００２３】
以下この発明を実施するための最良の形態を実施例に即して説明する。
【実施例１】
【００２４】
図１はこの発明の実施例１である回転操作軸の防水構造を示す部分平面図、図２は図１におけるＡ−Ａ断面図、図３は図２における部分詳細図である。図に示す回転式エンコーダ２はシャーシ５に固定されたプリント基板４に実装されている。プリント基板４はフレーム３に覆われており、回転式エンコーダ２の回転操作軸２ａはフレーム３の穴から突出している。
【００２５】
フレーム３の上部を覆う操作パネル１はフレーム３に締着されており、フレーム３と共にゴム弾性操作部材１０の周辺部を挾持している。そして、ゴム弾性操作部材１０の周辺部は水密状態となっている。
【００２６】
操作パネル１は回転式エンコーダ２の回転操作軸２ａを挿通させる穴とその周囲に形成された４個の円弧形状の押釦挿通穴１ａを有している。上記ゴム弾性操作部材１０は４個の円弧形状の押釦１０ａを有しており、この押釦１０ａは操作パネル１の上記押釦挿通穴１ａから突出している。押釦１０ａを押すことによりプリント基板４に実装されたスイッチを作動させることができる。
【００２７】
操作パネル１の穴から突出した回転操作軸２ａには２色成形された回転操作つまみ８の筒形状部８ａが嵌合しており、回転操作つまみ８により回転操作軸２ａを回転させることができる。なお、筒形状部８ａの外面はコイルばね９が巻かれており、筒形状部８ａを回転操作軸２ａに強嵌合させることが可能となっている。
【００２８】
フレーム３には回転操作軸２ａを挿通させる穴を夫々有するホルダ７が締着されている。そして、ホルダ７にはゴム弾性部材６が嵌着されている。ゴム弾性部材６は図３にも詳しく示すように中央に穴が形成されている。
【００２９】
そして、その穴の内壁に環形状リブ６ａが前記穴中心方向に突出形成しされており、さらに、環形状リブ６ａの先端に環形状リブ６ａより肉厚の薄い環形状ひれ６ｂが形成されている。環形状リブ６ａと環形状ひれ６ｂの上面は同一平面に形成されている。
【００３０】
組立て時にゴム弾性部材６の穴に回転式エンコーダ２の回転操作軸２ａを下方から挿通させるが、そのとき環形状ひれ６ｂは図３に矢印で示す向きの曲げモーメントを受ける。そして、組立てた状態で環形状ひれ６ｂは太実線で示すように弾性変形して回転操作軸２ａに圧接する。環形状ひれ６ｂが回転操作軸２ａに圧接されることにより回転操作軸２ａ周囲の防水性能が保たれる。
【００３１】
この実施例では、環形状リブ６ａと環形状ひれ６ｂの上面が同一平面に形成されているので環状ひれ６ｂが受ける圧縮力は環形状リブ６ａに環形状ひれ６ｂと同一方向の曲げモーメントを生じ、環状ひれ６ｂと環形状リブ６ａは同一方向に曲り、曲げ状態が安定するので、装置が振動するときも環形状ひれ６ｂと回転操作軸２ａとの圧接状態は安定し、防水性能が劣化することはない。
【００３２】
さらに、この実施例では、環形状ひれ６ｂを有する薄型のゴム弾性部材６により回転操作軸２ａ周囲の防水性能が保たれるので、図４に示すように、操作パネル１とフレーム３で構成される操作パネルユニットを薄型に構成することができる。そして、回転操作つまみ８を回転操作軸２ａから外すだけで防水状態を容易に点検できる。
【実施例２】
【００３３】
図５はこの発明の実施例２である回転操作軸を示す断面図、図６は図５に示す円内の単独部品を示す詳細図である。この例では第１の実施例の回転式エンコーダ２の回転操作軸２ａに図８で説明した回転操作つまみ２３が嵌着され、第１の実施例のホルダ７にゴム弾性部材１１が嵌着されている。他の構成は第１の実施例の構成と同じであり、詳細な説明を省略する。
【００３４】
この例で用いられるゴム弾性部材１１の穴の内壁に３個の環形状リブ１１ａが前記穴中心方向に突出形成されており、さらに、夫々の環形状リブ１１ａの先端に環形状ひれ１１ｂが形成されている。
【００３５】
組立て時にゴム弾性部材１１の穴に回転式エンコーダ２の回転操作軸２ａを下方から挿通させるが、そのとき環形状ひれ１１ｂは図６に示すように曲げられ回転操作軸２ａに圧接する。環形状ひれ１１ｂが回転操作軸２ａに圧接されることにより回転操作軸２ａ周囲の防水性能が保たれる。
【００３６】
この例では複数の環形状ひれ１１ｂが夫々防水機能を有するので、回転操作軸２ａを図５の矢印で示す方向に傾動させたときに上側の環形状ひれ１１ｂと回転操作軸２ａとの間に隙間が発生して防水機能が失われても、回転操作軸２ａの動きの小さい下側の部分で圧接されている環形状ひれ１１ｂは防水機能が損なわれない。したがって、この例の回転操作軸の防水構造を傾動可能の回転操作軸に適用することができる。
【００３７】
なお、ゴム弾性部材１１の穴の内壁に３個の環形状リブ１１ａが突出形成されているが、ゴム弾性部材であるため、その幅やテーパ角度を適切に設定すると、成形時に型から抜き出すことが可能である。
【００３８】
実施例は以上のように構成されているが発明はこれに限られず、例えば、回転式エンコーダの代わりに、回転式ボリュウムの回転操作軸ににこの発明を適用することも可能である。
【図面の簡単な説明】
【００３９】
【図１】この発明の実施例１である回転操作軸の防水構造を示す部分平面図である。
【図２】図１におけるＡ−Ａ断面図である。
【図３】図２における部分拡大図である。
【図４】同回転操作軸の防水構造の構成を説明するための断面図である。
【図５】この発明の実施例２である回転操作軸の防水構造を示す断面図である。
【図６】図５における部分詳細図である。
【図７】従来の回転操作軸の防水構造の例を示す部分平面図である。
【図８】図７におけるＡ−Ａ断面図である。
【図９】従来の回転操作軸の防水構造の他の例を示す部分平面図である。
【図１０】図９におけるＡ−Ａ断面図である。
【符号の説明】
【００４０】
１  操作パネル、１ａ  押釦挿通穴
２  回転式エンコーダ、２ａ  回転操作軸
３  フレーム
４  プリント基板
５  シャーシ
６  ゴム弾性部材、６ａ  環形状リブ、６ｂ  環形状ひれ
７  ホルダ
８  回転操作つまみ、８ａ  筒形状部
９  コイルばね
１０  ゴム弾性操作部材、１０ａ  押釦
１１  ゴム弾性部材、１１ａ  環形状リブ、１１ｂ  環形状ひれ
２０  Ｏリング
２１  上側ホルダ
２２  下側ホルダ
２３  回転操作つまみ、２３ａ  筒形状部
３０  回転操作つまみ、３０ａ  筒形状部、３０ｂ  ゴム弾性スカート形状部材
３１  押さえ板
【図１】
2010108801.tif 000003
【図２】
2010108801.tif 000004
【図３】
2010108801.tif 000005
【図４】
2010108801.tif 000006
【図５】
2010108801.tif 000007
【図６】
2010108801.tif 000008
【図７】
2010108801.tif 000009
【図８】
2010108801.tif 000010
【図９】
2010108801.tif 000011
【図１０】
2010108801.tif 000012